【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
通信システムにおける中継局装置において、
上位ノードから予め割り当てられた接続識別子の集合を管理するためのデータベースと、
端末機から所定の制御メッセージを受信する際、前記データベースにアクセスして前記端末機に接続識別子を割り当てる制御部と、
前記割り当てられた接続識別子を含む応答メッセージを構成して、前記端末機に送信する送信機と
を備えることを特徴とする装置。
【請求項２】
前記送信機が、前記割り当てられた接続識別子を報告する報告メッセージを構成して、前記上位ノードに伝送することを特徴とする請求項１に記載の装置。
【請求項３】
前記接続識別子の集合が、前記上位ノードとの初期接続手順又は前記上位ノードへの登録後の別途のシグナリング手順により、前記中継局に割り当てられることを特徴とする請求項１に記載の装置。
【請求項４】
前記接続識別子の集合が、複数の基本接続識別子（ｂａｓｉｃ  ＣＩＤ）と複数の優先管理接続識別子（Ｐｒｉｍａｒｙ  ｍａｎａｇｅｍｅｎｔ  ＣＩＤ）を含むことを特徴とする請求項１に記載の装置。
【請求項５】
前記接続識別子の集合が、シグナリング手順に用いられることのできる複数の接続識別子を含むことを特徴とする請求項１に記載の装置。
【請求項６】
前記制御メッセージが、レインジング要請メッセージであることを特徴とする請求項１に記載の装置。
【請求項７】
前記送信機が、
前記割り当てられた接続識別子を含む応答メッセージを生成するメッセージ生成部と、
前記メッセージ生成部からの応答メッセージを符号及び変調する符号化器と、
前記符号化器からの変調されたデータをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調するＯＦＤＭ変調器と、
前記ＯＦＤＭ変調器からのＯＦＤＭ変調されたデータをＲＦ処理して送信するＲＦ処理器と
を備えることを特徴とする請求項１に記載の装置。
【請求項８】
前記上位ノードが、基地局または上位中継局であることを特徴とする請求項１に記載の装置。
【請求項９】
接続識別子の管理通信システムにおいて、
接続される中継局に接続識別子の集合を委託する上位ノードと、
レインジング要請メッセージを前記中継局に伝送し、前記中継局からレインジング応答メッセージを受信する端末機と、
前記上位ノードから委託された接続識別子の集合を管理し、前記レインジング要請メッセージを受信する際、前記端末機に前記接続識別子の集合のうち、少なくとも１つを割り当て、前記割り当てられた接続識別子を含む前記レインジング応答メッセージを前記端末機に伝送する前記中継局と
を備えることを特徴とする通信システム。
【請求項１０】
前記中継局が、前記割り当てられた接続識別子を報告する報告メッセージを前記上位ノードに伝送することを特徴とする請求項９に記載の通信システム。
【請求項１１】
前記中継局が、前記上位ノードとの初期接続手順又は前記上位ノードへの登録後の別途のシグナリング手順により、前記接続識別子の集合を割り当てられることを特徴とする請求項９に記載の通信システム。
【請求項１２】
前記接続識別子の集合が、複数の基本接続識別子と複数の優先管理接続識別子とを含むことを特徴とする請求項９に記載の通信システム。
【請求項１３】
前記接続識別子の集合が、シグナリング手順に用いられることのできる複数の接続識別子を含むことを特徴とする請求項９に記載の通信システム。
【請求項１４】
前記上位ノード、前記中継局及び前記端末機が、ＯＦＤＭ方式により通信されることを特徴とする請求項９に記載の通信システム。
【請求項１５】
前記上位ノードが、基地局または上位中継局であることを特徴とする請求項９に記載の通信システム。
【請求項１６】
通信システムにおける中継局の通信方法において、
上位ノードから割り当てられた接続識別子の集合をデータベースに格納する過程と、
端末機から所定の制御メッセージを受信する際、前記データベースにアクセスして前記端末機に接続識別子を割り当てる過程と、
前記割り当てられた接続識別子を含む応答メッセージを構成して、前記端末機に送信する過程と
を含むことを特徴とする方法。
【請求項１７】
前記端末機に割り当てられた接続識別子を報告する報告メッセージを構成して、前記上位ノードに伝送する過程をさらに含むことを特徴とする請求項１６に記載の方法。
【請求項１８】
前記接続識別子の集合が、前記上位ノードとの初期接続手順又は前記上位ノードへの登録後の別途のシグナリング手順により割り当てられることを特徴とする請求項１６に記載の方法。
【請求項１９】
前記接続識別子の集合が、複数の基本接続識別子及び複数の優先管理接続識別子を含むことを特徴とする請求項１６に記載の方法。
【請求項２０】
前記接続識別子の集合が、シグナリング手順に用いられることのできる複数の接続識別子を含むことを特徴とする請求項１６に記載の方法。
【請求項２１】
前記所定の制御メッセージが、レインジング要請メッセージであることを特徴とする請求項１６に記載の方法。
【請求項２２】
前記送信過程が、
前記割り当てられた接続識別子を含む応答メッセージを生成する過程と、
前記応答メッセージを符号及び変調する過程と、
前記変調されたデータをＯＦＤＭ変調する過程と、
前記ＯＦＤＭ変調されたデータをＲＦ処理して送信する過程と
を含むことを特徴とする請求項１６に記載の方法。
【請求項２３】
前記上位ノードが、基地局または上位中継局であることを特徴とする請求項１６に記載の方法。
【請求項２４】
通信システムにおける接続識別子の管理方法において、
上位ノードが、接続される中継局に接続識別子の集合を割り当てる過程と、
端末機が、前記中継局にレインジング要請メッセージを伝送する過程と、
前記中継局が、前記上位ノードから割り当てられた接続識別子の集合を管理し、前記レインジング要請メッセージを受信する際、前記端末機に前記接続識別子の集合の内、少なくとも１つを割り当て、前記割り当てられた接続識別子を含む前記レインジング応答メッセージを前記端末機に伝送する過程と
を含むことを特徴とする方法。
【請求項２５】
前記中継局が、前記端末機に割り当てられた接続識別子を報告する報告メッセージを前記上位ノードに伝送する過程をさらに含むことを特徴とする請求項２４に記載の方法。
【請求項２６】
前記中継局が、前記上位ノードとの初期接続手順又は前記上位ノードへの登録後の別途のシグナリング手順により、前記接続識別子の集合を割り当てられることを特徴とする請求項２４に記載の方法。
【請求項２７】
前記接続識別子の集合が、複数の基本接続識別子及び複数の優先管理接続識別子を含むことを特徴とする請求項２４に記載の方法。
【請求項２８】
前記接続識別子の集合が、シグナリング手順に用いられることのできる複数の接続識別子を含むことを特徴とする請求項２４に記載の方法。
【請求項２９】
前記上位ノード、前記中継局及び前記端末機が、ＯＦＤＭ方式により通信されることを特徴とする請求項２４に記載の方法。
【請求項３０】
前記上位ノードが、基地局または上位中継局であることを特徴とする請求項２４に記載の方法。
【請求項３１】
通信システムにおける上位ノードの通信方法において、
中継局に接続識別子の集合を割り当てる過程と、
前記割り当てられた接続識別子の集合に対する情報を含むＣＩＤ（ｃｏｎｎｅｃｔｉｏｎ  ｉｄｅｎｔｉｆｉｅｒ）割り当てメッセージを生成する過程と、
前記ＣＩＤ割り当てメッセージを前記中継局に伝送する過程と
を含むことを特徴とする方法。
【請求項３２】
前記接続識別子の集合が、連続する接続識別子で構成されることを特徴とする請求項３１に記載の方法。
【請求項３３】
前記ＣＩＤ割り当てメッセージが、前記接続識別子の集合を構成する連続する接続識別子の内、開始接続識別子情報と最後の接続識別子情報とを含むことを特徴とする請求項３１に記載の方法。
【請求項３４】
前記上位ノードが、基地局または上位中継局であることを特徴とする請求項３１に記載の方法。
【請求項３５】
前記中継局の下位ノードに割り当てられた接続識別子を含む報告メッセージを前記中継局から受信する過程をさらに含むことを特徴とする請求項３１に記載の方法。
【請求項３６】
前記下位ノードが、端末または下位中継局であることを特徴とする請求項３５に記載の方法。
【請求項３７】
前記中継局から受信される前記報告メッセージに基づいて、接続識別子の使用状態をデータベースで管理する過程をさらに含むことを特徴とする請求項３５に記載の方法。
【請求項３８】
通信システムにおける中継局の通信方法において、
上位ノードから接続識別子の集合に対する情報を含むＣＩＤ割り当てメッセージを受信する過程と、
前記ＣＩＤ割り当てメッセージに応じて前記接続識別子の集合を管理するためのデータベースを構成する過程と
を含むことを特徴とする方法。
【請求項３９】
前記接続識別子の集合が、連続する接続識別子で構成されることを特徴とする請求項３８に記載の方法。
【請求項４０】
前記ＣＩＤ割り当てメッセージが、前記接続識別子の集合を構成する連続する接続識別子の内、開始接続識別子情報と最後の接続識別子情報とを含むことを特徴とする請求項３８に記載の方法。
【請求項４１】
前記上位ノードが、基地局または上位中継局であることを特徴とする請求項３８に記載の方法。
【請求項４２】
前記接続識別子の集合からの接続識別子を下位ノードに割り当てる過程と、
前記下位ノードに割り当てられた接続識別子を含む報告メッセージを前記上位ノードに伝送する過程と
をさらに含むことを特徴とする請求項３８に記載の方法。
【請求項４３】
前記下位ノードが、端末または下位中継局であることを特徴とする請求項４２に記載の方法。
【請求項４４】
前記下位ノードに割り当てられた接続識別子が、優先管理接続識別子（ｐｒｉｍａｒｙ  ｍａｎａｇｅｍｅｎｔ  ＣＩＤ）及び基本接続識別子（ｂａｓｉｃ  ＣＩＤ）の内、少なくとも一つであることを特徴とする請求項４２に記載の方法。
【請求項４５】
通信システムにおける上位ノード装置において、
中継局に接続識別子の集合を割り当て、前記割り当てられた接続識別子の集合に対する情報を含むＣＩＤ割り当てメッセージを生成する制御部と、
前記ＣＩＤ割り当てメッセージを前記中継局に伝送する送信機と
を備えることを特徴とする装置。
【請求項４６】
前記接続識別子の集合が、連続する接続識別子で構成されることを特徴とする請求項４５に記載の装置。
【請求項４７】
前記ＣＩＤ割り当てメッセージが、前記接続識別子の集合を構成する連続する接続識別子の内、開始接続識別子情報と最後の接続識別子情報とを含むことを特徴とする請求項４５に記載の装置。
【請求項４８】
前記上位ノードが、基地局または上位中継局であることを特徴とする請求項４５に記載の装置。
【請求項４９】
前記中継局の下位ノードに割り当てられた接続識別子を含む報告メッセージを受信するための受信機をさらに備えることを特徴とする請求項４５に記載の装置。
【請求項５０】
前記下位ノードが、端末または下位中継局であることを特徴とする請求項４９に記載の装置。
【請求項５１】
前記中継局から受信される前記端末情報メッセージに基づいて、接続識別子の使用状態を管理するためのデータベースをさらに含むことを特徴とする請求項４９に記載の装置。
【請求項５２】
通信システムにおける中継局装置において、
上位ノードから接続識別子の集合に対する情報を含むＣＩＤ割り当てメッセージを受信する受信機と、
前記ＣＩＤ割り当てメッセージに応じて前記接続識別子の集合を管理するためのデータベースを構成する制御部と
を備えることを特徴とする装置。
【請求項５３】
前記接続識別子の集合が、連続する接続識別子で構成されることを特徴とする請求項５２に記載の装置。
【請求項５４】
前記ＣＩＤ割り当てメッセージが、前記接続識別子の集合を構成する連続する接続識別子のうち、開始接続識別子情報と最後の接続識別子情報とを含むことを特徴とする請求項５３に記載の装置。
【請求項５５】
前記上位ノードが、基地局または上位中継局であることを特徴とする請求項５３に記載の装置。
【請求項５６】
前記接続識別子の集合からの接続識別子が下位ノードに割り当てられる場合、前記下位ノードに割り当てられた接続識別子を含む報告メッセージを前記上位ノードに伝送する送信機をさらに備えることを特徴とする請求項５３に記載の装置。
【請求項５７】
前記下位ノードが、端末または下位中継局であることを特徴とする請求項５６に記載の装置。
【請求項５８】
前記下位ノードに割り当てられた接続識別子が、優先管理接続識別子（ｐｒｉｍａｒｙ  ｍａｎａｇｅｍｅｎｔ  ＣＩＤ）及び基本接続識別子（ｂａｓｉｃ  ＣＩＤ）の内、少なくとも一つであることを特徴とする請求項５６に記載の装置。
【手続補正２】
【補正対象書類名】明細書
【補正対象項目名】００４８
【補正方法】変更
【補正の内容】
【００４８】
【表５】
2007110725.tif 000001